(57)【要約】【課題】カバーの内側に勢いよく水が突入してしまうことを防止することが可能なコネクタを提供する。【解決手段】カバー４０をハウジング１０に取り付けると、ハウジング１０の後面１０Ａに接触する開口縁４２Ａに沿って設けられた遮水片６６Ｕ，６６Ｓが、後面１０Ａに形成された肉抜き部２３Ｕ，２３Ｓに差し込まれる。この遮水片６６Ｕ，６６Ｓによって、カバー４０の開口縁４２Ａとハウジング１０の後面１０Ａとの間の隙間が塞がれるから、カバー４０の内側に勢いよく水が突入してしまうことを防止することができる。【選択図】図１８
2008159544.tif 000002
【特許請求の範囲】
【請求項１】
内部に電線の端末部を収容可能とするハウジングと、
前記ハウジングに形成された前記電線の引出し口を覆うようにして前記ハウジングに取り付けられるカバーと、
前記カバーに形成され、前記ハウジングにおける前記引出し口が形成された領域の周囲を囲い込み可能な形状をなし、前記カバーが前記ハウジングに取り付けられると、このハウジングにおける前記引出し口が形成された引出し面に接触する開口縁と、
前記カバーの開口縁に沿って設けられ、前記ハウジングとの取り付け方向前方へ突出する遮水片と、
前記ハウジングの引出し面に形成され、前記遮水片を差し込み可能な差込凹部と、
を備えることを特徴とするコネクタ。
【請求項２】
前記差込凹部は、ひけ防止のために形成された肉抜き部であることを特徴とする請求項１に記載のコネクタ。
【請求項３】
前記カバーには、前記開口縁から前記カバーの外側へ屈曲された遮蔽壁が、前記開口縁に沿って設けられていることを特徴とする請求項１または請求項２に記載のコネクタ。
【請求項４】
前記引出し口には、同引出し口と前記電線との間をシールするシール栓が嵌め込まれるようになっており、
前記ハウジングには、前記シール栓における前記引出し口から突出した部分を囲んで保護する保護部が、前記引出し面から突出して設けられていることを特徴とする請求項１ないし請求項３のいずれか１項に記載のコネクタ。
【請求項５】
前記カバーは前記電線を包囲する筒状の保護部材を内側に挟んで保持可能な一対の半割部材からなり、
この一対の半割部材における前記開口縁には、前記ハウジングの引出し面に設けられた突片に嵌合可能な位置決め用のスリットがそれぞれ形成されていることを特徴とする請求項１ないし請求項４のいずれか１項に記載のコネクタ。
【請求項６】
前記遮水片の外側の面には、その突出端に向かって外側から内側へ向かう傾斜をなすテーパ面が形成されていることを特徴とする請求項５に記載のコネクタ。
【請求項７】
前記突片は、前記カバーが前記ハウジングに取り付けられると同カバーの壁面に沿う形状をなし、
前記突片と前記カバーの壁面とには、互いに係合するロック部が設けられていることを特徴とする請求項５または請求項６に記載のコネクタ。
【請求項８】
前記カバーは、このカバーの内部で前記電線を所定方向に屈曲させて同カバーに開口された電線導出口から同カバーの外部へ導出させるものであり、
前記スリットは、前記開口縁における前記電線導出口側に設けられていることを特徴とする請求項５ないし請求項７のいずれか１項に記載のコネクタ。
【請求項９】
前記一対の半割部材には、同両半割部材が組み付けられると前記電線の束を囲い込み可能な形状となる一対の電線保持部が設けられ、
前記一対の電線保持部のうち一方の電線保持部は、同一方の電線保持部が設けられた一方の半割部材における他方の半割部材との当接縁から同他方の半割部材との組み付け方向へ突出する一対の突出部を備え、
他方の電線保持部は、前記一方の電線保持部の突出部と対応する一対の端部のうち少なくとも前記ハウジングとの取り付け方向前側の端部が、前記カバーを前記ハウジングに取り付ける際に前記一方の電線保持部の突出部が進出する経路から逃げて凹んだ形状をなしていることを特徴とする請求項８に記載のコネクタ。
【請求項１０】
前記一対の半割部材同士の当接縁部のうち前記電線が屈曲される側とは反対側の縁部には、同縁部から張り出す形状をなして前記電線の束の広がりを防ぐ電線収容片が設けられていることを特徴とする請求項８または請求項９に記載のコネクタ。
【請求項１１】
前記電線収容片の外側の面には、同電線収容片の張出し端に向かって外側から内側へ向かう傾斜をなす傾斜面が形成されていることを特徴とする請求項１０に記載のコネクタ。
【請求項１２】
前記電線収容片は、前記一方の電線保持部が設けられた前記一方の半割部材に設けられることを特徴とする請求項１０または請求項１１に記載のコネクタ。
【発明の詳細な説明】
【技術分野】
【０００１】
本発明は、カバーを備えたコネクタに関する。
【背景技術】
【０００２】
従来より、ハウジングから引き出された電線の束を所定の方向に屈曲させたり、引き出し部分を異物の衝突等から保護したりするためのカバーを備えたコネクタが知られている。このカバーは、例えば特許文献１に示すように、ハウジングの後面（電線が引き出される側の面）を覆う形状をなし、開口縁をハウジングの後面に接触させるようにして取り付けられている。
【特許文献１】特開２００５−２０９４７１公報
【発明の開示】
【発明が解決しようとする課題】
【０００３】
しかしながら、上記のようなカバーを備えたコネクタを、例えば自動車のエンジンルームの配線に用いた場合には、カバーの開口縁とハウジングの後面との間の隙間から、洗車用の高圧洗浄水が勢いよくカバーの内側に突入してしまうおそれがある。すると、例えば、防水を図るために電線の引出し口にゴム栓が圧着されているときには、このゴム栓に高圧洗浄水が勢いよく当たって、これを損傷させてしまう等の悪影響を及ぼすことが懸念されるため問題である。
本発明は上記のような事情に基づいて完成されたものであって、カバーの内側に勢いよく水が突入してしまうことを防止することが可能なコネクタを提供することを目的とする。
【課題を解決するための手段】
【０００４】
上記の目的を達成するための手段として、請求項１の発明は、内部に電線の端末部を収容可能とするハウジングと、前記ハウジングに形成された前記電線の引出し口を覆うようにして前記ハウジングに取り付けられるカバーと、前記カバーに形成され、前記ハウジングにおける前記引出し口が形成された領域の周囲を囲い込み可能な形状をなし、前記カバーが前記ハウジングに取り付けられると、このハウジングにおける前記引出し口が形成された引出し面に接触する開口縁と、前記カバーの開口縁に沿って設けられ、前記ハウジングとの取り付け方向前方へ突出する遮水片と、前記ハウジングの引出し面に形成され、前記遮水片を差し込み可能な差込凹部と、を備えるところに特徴を有する。
【０００５】
請求項２の発明は、請求項１に記載のものにおいて、前記差込凹部は、ひけ防止のために形成された肉抜き部であるところに特徴を有する。
請求項３の発明は、請求項１または請求項２に記載のものにおいて、前記カバーには、前記開口縁から前記カバーの外側へ屈曲された遮蔽壁が、前記開口縁に沿って設けられているところに特徴を有する。
【０００６】
請求項４の発明は、請求項１ないし請求項３のいずれか１項に記載のものにおいて、前記引出し口には、同引出し口と前記電線との間をシールするシール栓が嵌め込まれるようになっており、前記ハウジングには、前記シール栓における前記引出し口から突出した部分を囲んで保護する保護部が、前記引出し面から突出して設けられているところに特徴を有する。
【０００７】
請求項５の発明は、請求項１ないし請求項４のいずれか１項に記載のものにおいて、前記カバーは前記電線を包囲する筒状の保護部材を内側に挟んで保持可能な一対の半割部材からなり、この一対の半割部材における前記開口縁には、前記ハウジングの引出し面に設けられた突片に嵌合可能な位置決め用のスリットがそれぞれ形成されているところに特徴を有する。
【０００８】
請求項６の発明は、請求項５に記載のものにおいて、前記遮水片の外側の面には、その突出端に向かって外側から内側へ向かう傾斜をなすテーパ面が形成されているところに特徴を有する。
請求項７の発明は、請求項５または請求項６に記載のものにおいて、前記突片は、前記カバーが前記ハウジングに取り付けられると同カバーの壁面に沿う形状をなし、前記突片と前記カバーの壁面とには、互いに係合するロック部が設けられているところに特徴を有する。
【０００９】
請求項８の発明は、請求項５ないし請求項７のいずれか１項に記載のものにおいて、前記カバーは、このカバーの内部で前記電線を所定方向に屈曲させて同カバーに開口された電線導出口から同カバーの外部へ導出させるものであり、前記スリットは、前記開口縁における前記電線導出口側に設けられているところに特徴を有する。
【００１０】
請求項９の発明は、請求項８に記載のものにおいて、前記一対の半割部材には、同両半割部材が組み付けられると前記電線の束を囲い込み可能な形状となる一対の電線保持部が設けられ、前記一対の電線保持部のうち一方の電線保持部は、同一方の電線保持部が設けられた一方の半割部材における他方の半割部材との当接縁から同他方の半割部材との組み付け方向へ突出する一対の突出部を備え、他方の電線保持部は、前記一方の電線保持部の突出部と対応する一対の端部のうち少なくとも前記ハウジングとの取り付け方向前側の端部が、前記カバーを前記ハウジングに取り付ける際に前記一方の電線保持部の突出部が進出する経路から逃げて凹んだ形状をなしているところに特徴を有する。
【００１１】
請求項１０の発明は、請求項８または請求項９に記載のものにおいて、前記一対の半割部材同士の当接縁部のうち前記電線が屈曲される側とは反対側の縁部には、同縁部から張り出す形状をなして前記電線の束の広がりを防ぐ電線収容片が設けられているところに特徴を有する。
【００１２】
請求項１１の発明は、請求項１０に記載のものにおいて、前記電線収容片の外側の面には、同電線収容片の張出し端に向かって外側から内側へ向かう傾斜をなす傾斜面が形成されているところに特徴を有する。
請求項１２の発明は、請求項１０または請求項１１に記載のものにおいて、前記電線収容片は、前記一方の電線保持部が設けられた前記一方の半割部材に設けられるところに特徴を有する。
【発明の効果】
【００１３】
＜請求項１の発明＞
カバーをハウジングに取り付けると、ハウジングの引出し面に接触する開口縁に沿って設けられた遮水片が、引出し面に形成された差込凹部に差し込まれる。この遮水片によって、カバーの開口縁とハウジングの引出し面との間の隙間が塞がれるから、カバーの内側に勢いよく水が突入してしまうことを防止することができる。
また、遮水片はカバー側に設けられている。ここで、例えば、遮水片をハウジング側に設けた場合には、電線の端末部をハウジングの内部に収容する際、遮水片によって視界が遮られて作業が困難になるおそれがある。しかしながら、本発明のように遮水片をカバー側に設ければ、そのような事態を回避でき、電線の端末部をハウジングの内部に収容する作業を容易に行うことができる。
【００１４】
＜請求項２の発明＞
差込凹部は、ひけ防止のために形成された肉抜き部であるから、肉抜き部とは別に差込凹部を設ける場合に比べて、ハウジングを大型化させなくて済む。
【００１５】
＜請求項３の発明＞
カバーには、開口縁からカバーの外側へ屈曲された遮蔽壁が、開口縁に沿って設けられている。これにより、遮水片に加えて、遮蔽壁によっても水の突入が遮られるから、カバーの内側に勢いよく水が突入してしまうことをより確実に防止することができる。また、この遮蔽壁によって、ハウジングの引出し面に接触するカバーの開口縁の補強がなされる。
【００１６】
＜請求項４の発明＞
シール栓における引出し口から突出した部分は、引出し面から突出して設けられた保護部に囲まれて保護されるから、万が一カバー内に水が突入したとしても直接シール栓に当たることが回避され、もって水がシール栓に勢いよく当たって損傷してしまうことが防止される。
【００１７】
＜請求項５の発明＞
カバーをハウジングに取り付ける際には、一対の半割部材の開口縁に形成されたスリットをそれぞれハウジングの引出し面に設けられた突片に嵌合させて位置決めすることができる。これにより、遮水片をハウジングの差込凹部に差し込みつつ両半割部材の内側に保護部材を挟み込んでカバーの取り付けを行う際、半割部材の位置がずれ難いからその作業を行いやすい。
【００１８】
＜請求項６の発明＞
遮水片の外側の面には、その突出端に向かって外側から内側へ向かう傾斜をなすテーパ面が形成されている。これにより、カバーの取り付けを行う際、内側に保護部材を挟み込むために一対の半割部材を斜めに傾けたときに、遮水片が斜め外側から差込凹部に差し込まれやすくなるので、カバーの取り付け作業がさらに容易となる。
【００１９】
＜請求項７の発明＞
カバーがハウジングに取り付けると、突片がカバーの壁面に沿った状態になり、突片とカバーの壁面とに設けられたロック部が互いに係合する。したがって、ロック作業を別途行う必要がなく、カバーの取り付け作業が一層容易になる。
【００２０】
＜請求項８の発明＞
スリットは、カバーの開口縁における電線導出口側に設けられている。ここで、カバーにおける電線導出口側というのは、屈曲した電線の復元力を大きく受ける側、すなわち、カバーをハウジングに取り付ける際に大きな力を要する側であり、このようなところで位置決めがなされるからカバーの取り付け作業がより一層行いやすくなる。
【００２１】
＜請求項９の発明＞
カバーをハウジングに取り付ける際には、一方の電線保持部に備えられた一対の突出部の間に電線の束を押し込むことによってその広がりを防止でき、カバーの取り付け作業がより容易となる。
そして、他方の電線保持部の両端部のうち少なくともハウジングとの取り付け方向前側の端部が、一方の電線保持部の突出部が進出する経路から逃げて凹んだ形状をなしているから、この突出部と他方の電線保持部の端部とが接触することはなく、カバーの取り付け作業をスムーズに行うことができる。
【００２２】
＜請求項１０の発明＞
一対の半割部材を組み付ける際には、電線収容片によって電線の束の広がりが防止される。これにより、両半割部材の組み付けの際の電線の噛み込みを防止できるから、カバーの取り付け作業をよりスムーズに行うことができる。
【００２３】
＜請求項１１の発明＞
電線収容片の外側の面には、その張出し端に向かって外側から内側へ向かう傾斜をなす傾斜面が形成されているので、両半割部材の組み付け時に電線収容片が相手の半割部材の内側に入り込みやすく、カバーの取り付け作業がさらにスムーズに行われる。
【００２４】
＜請求項１２の発明＞
カバーをハウジングに取り付ける際には、電線保持部と電線収容片とがともに設けられた一方の半割部材に電線を押し付けることにより、電線の束の広がりを確実に防止できる。したがって、電線収容片と電線保持部とがそれぞれ別の半割部材に設けられている場合に比べてカバーの取り付け作業を行いやすい。
【発明を実施するための最良の形態】
【００２５】
以下、本発明の実施形態を図１〜図１８によって説明する。本実施形態におけるコネクタは、大小２種類の端子金具３０Ａ，３０Ｂが収容されるいわゆるハイブリッドタイプのハウジング１０と、ハウジング１０の後端部に取り付けられるカバー４０とを備えて構成されている。以下、各構成部材において、図１の下側を前方、上側を後方、右側（電線３２の引出し側）を右方、左側を左方として説明する。また、図２の上側を上方、下側を下方とする。
【００２６】
ハウジング１０は合成樹脂材にて一体に形成され、横方向（図３の左右方向）に長い略直方体状をなし、複数の端子金具３０Ａ，３０Ｂをそれぞれ収容可能な端子収容部１１と、この端子収容部１１の外周を取り囲む外壁部１２とを備えている（図４参照）。端子収容部１１と外壁部１２との間における奥端位置には、ゴム材よりなるシールリング１３が嵌着され、このシールリング１３によって図示しない相手側ハウジングとの間のシールがなされるようになっている。
【００２７】
外壁部１２は中空構造となっており、その内部には相手側ハウジングとの嵌合を助勢するためのスライドレバー１４が収容されている。スライドレバー１４は、ハウジング１０の幅方向に長い長方形の板状をなすとともに、ハウジング１０の幅方向両端部のいずれ側からでも外壁部１２内に差し込み可能とされている。
【００２８】
端子収容部１１の内部には、大型端子金具３０Ａが収容される大型キャビティ１５Ａと、小型端子金具３０Ｂが収容される小型キャビティ１５Ｂとが形成されている。小型キャビティ１５Ｂは、図３に示すように、ハウジング１０の上下方向３列に分けて幅方向に並列され、大型キャビティ１５Ａは、その両側方に上下に一対ずつ配されている。大小いずれのキャビティ１５Ａ，１５Ｂも、ハウジング１０の前後方向に貫通して形成されている（図４および図５参照）。
【００２９】
大型端子金具３０Ａおよび小型端子金具３０Ｂは、ともに導電金属製の板材を折り曲げ加工して形成されたものであり、各端子金具３０Ａ，３０Ｂのバレル部３１には電線３２がかしめ付けられている。そして、各端子金具３０Ａ，３０Ｂが各キャビティ１５Ａ，１５Ｂ内にそれぞれ収容されると、各キャビティ１５Ａ，１５Ｂの後端の開口から電線３２が後方へ引き出された状態になる。各キャビティ１５Ａ，１５Ｂの後端の開口は本発明における引出し口１６に該当し、以降この開口を引出し口１６と称する。なお、大小いずれの端子金具３０Ａ，３０Ｂも、各キャビティ１５Ａ，１５Ｂに形成されたランス１７と、ハウジング１０に装着されたリテーナ１８とに係止され、各キャビティ１５Ａ，１５Ｂからの抜け止めが図られている。
【００３０】
各引出し口１６には、電線３２の被覆部分に嵌着されたゴム栓３３（本発明のシール栓に該当する）が嵌め込まれている。このゴム栓３３によって各引出し口１６と各電線３２との間がシールされており、各キャビティ１５Ａ，１５Ｂ内への水の侵入を防いでいる。
【００３１】
各キャビティ１５Ａ，１５Ｂの後側には、ゴム栓３３を保護する保護壁１９Ａ，１９Ｂ（本発明の保護部に該当する）がそれぞれ設けられている。各保護壁１９Ａ，１９Ｂは、図４および図１５にそれぞれ示すように、各キャビティ１５Ａ，１５Ｂの引出し口１６と同形の円筒状をなしてハウジング１０の後面１０Ａ（本発明の引出し面に該当する）から後方へ突出して設けられている。なお、大型キャビティ１５Ａの後側に連設された保護壁を大型保護壁１９Ａ、小型キャビティ１５Ｂの後側に連設された保護壁を小型保護壁１９Ｂと称する。各大型保護壁１９Ａおよび小型保護壁１９Ｂに囲まれることによって、各ゴム栓３３における引出し口１６から突出した部分、言い換えると、ハウジング１０の後面１０Ａよりも突出した部分は保護されている。
【００３２】
ハウジング１０の後面１０Ａには、４つの盛上部２１が設けられている（図２および図３参照）。各盛上部２１は、上下方向に長い長方形状をなして後面１０Ａから後方へ突出するとともに、その短手方向略半部分がハウジング１０の側面からそれぞれ突出している。上下に配された盛上部２１の間にはスライドレバー１４に形成された逆挿入防止用突部２２が入り込み可能となっており、スライドレバー１４を差し込む際に、逆挿入防止用突部２２が盛上部２１の間に入り込む向きにすることにより、スライドレバー１４の逆挿入が防止される。
【００３３】
また、ハウジング１０の後面１０Ａには、ひけ防止のために肉抜き部２３Ｕ，２３Ｓが形成されている。肉抜き部２３Ｕ，２３Ｓは、３列に並べられた小型キャビティ１５Ｂのうち最上列の小型キャビティ１５Ｂの上側に設けられた上側肉抜き部２３Ｕ、最下列の小型キャビティ１５Ｂの下側に設けられた下側肉抜き部２３Ｓであり、それぞれ小型キャビティ１５Ｂの並列方向（ハウジング１０の幅方向）に沿って横長の形状をなしている。上側肉抜き部２３Ｕの上縁とハウジング１０の上面および下側肉抜き部２３Ｓの下縁とハウジング１０の下面とは、それぞれの間にスライドレバー１４の板厚寸法のほぼ２倍の間隔を空けて略平行をなしている。
【００３４】
上下肉抜き部２３Ｕ，２３Ｓには、隔壁２４がそれぞれ４つずつ設けられている。隔壁２４は、図３に示すように、並列する小型キャビティ１５Ｂのうち両端に配された小型キャビティ１５Ｂの位置に一対ずつと、その一対の隔壁２４間を幅方向にほぼ均等に３分割する位置に一対ずつ配されている。この隔壁２４によって、上下肉抜き部２３Ｕ，２３Ｓはそれぞれ５つずつに区画されている。
【００３５】
また、ハウジング１０の後面１０Ａには、後述するカバー４０と係合可能な突片２５Ｕ，２５Ｓが形成されている。突片２５Ｕ，２５Ｓは、大小キャビティ１５Ａ，１５Ｂ群の周囲４箇所に設けられ、それぞれ大型キャビティ１５Ａの上下位置に配されている。上側に設けられた上側突片２５Ｕは上側肉抜き部２３Ｕの上縁に沿い、下側に設けられた下側突片２５Ｓは下側肉抜き部２３Ｓの下縁に沿って、それぞれ後方（カバー４０との取り付け方向）へ張り出す薄板状をなしている。各突片２５Ｕ，２５Ｓは、ハウジング１０の後面１０Ａに対して略垂直をなしている。各突片２５Ｕ，２５Ｓを上下方向から見ると、図２に示すように、前端（ハウジング１０の後面１０Ａとの連結端）から後端（突出端）に向かって幅方向寸法が少しずつ小さくなる山型状をなしている。各突片２５Ｕ，２５Ｓは、前端縁が上下肉抜き部２３Ｕ，２３Ｓの両側縁よりもそれぞれ側方にはみ出した、言い換えると、大型キャビティ１５Ａよりも側方にはみ出した形状をなしている。
【００３６】
各突片２５Ｕ，２５Ｓには、ロック突部２６（本発明のロック部に該当する）が設けられている。上側突片２５Ｕのロック突部２６は上方へ突出し、下側突片２５Ｓのロック突部２６は下方へ突出している。各ロック突部２６は、各突片２５Ｕ，２５Ｓにおける突出端部に設けられ、その突出端縁の幅方向寸法と等しい幅方向寸法を備えている。
【００３７】
カバー４０は合成樹脂からなり、ハウジング１０の後端部に取り付けられると、全引出し口１６を覆うようになっている。そして、各引出し口１６から引き出されてカバー４０内で屈曲された電線３２は、カバー４０に開口された電線導出口４１を介してカバー４０の斜め右後方に導出される（図１参照）。
【００３８】
カバー４０の前端部には、開口部４２が形成されている。この開口部４２は、ハウジング１０の後面１０Ａよりも一回り小さい略長方形をなし、全引出し口１６の周囲を囲むことが可能な形状とされている。開口部４２の開口縁４２Ａは、カバー４０がハウジング１０に取り付けられると、ハウジング１０の後面１０Ａにおける引出し口１６が形成された領域の周囲を囲い込んだ状態でハウジング１０の後面１０Ａに接触するようになっている。
【００３９】
カバー４０には、コルゲートチューブ４４（本発明の保護部材に該当する）を保持可能なチューブ保持部４５が備えられている。コルゲートチューブ４４は蛇腹状の円筒形状をなし、電線３２の束を一括して包囲するものである。チューブ保持部４５は、コルゲートチューブ４４を内嵌可能な円筒状をなし、その内周面は、コルゲートチューブ４４の外周面に嵌合可能な凹凸形状とされている。チューブ保持部４５は、右後側へ向かって延びる形状をなし、その右後端の開口が電線導出口４１となっている（図１参照）。
【００４０】
このチューブ保持部４５には、水抜き穴６９が設けられている。この水抜き穴６９は、チューブ保持部４５の内周面に形成された複数の凹部のうちの１箇所に貫通形成され、チューブ保持部４５の周方向に沿って長い形状をなしている。この水抜き穴６９からカバー４０内の水が外部へ排出可能であるとともに、コルゲートチューブ４４が正しい位置に嵌め込まれているか否かを外部から目視できるようになっている。
【００４１】
カバー４０は、上下に分割された一対の半割体４６，４７（本願の一対の半割部材に該当する）からなり、コルゲートチューブ４４は両半割体４６，４７の間に挟まれて保持される。以下、半割体の構造については、両半割体４６，４７を合体した状態を基準とするとともに、各半割体において電線３２を収容する側（互いに対向する側）を内側、その反対側を外側として説明する。
【００４２】
上下一対の半割体４６，４７は別体とされ、そのうち上側のものである第１半割体４６（図５の上側に描かれた半割体）は、ハウジング１０の幅方向に長い略平坦状をなす第１上板部４６Ｕと、第１上板部４６Ｕにおける後側縁（ハウジング１０の後面１０Ａに接触する側とは反対側の縁）から略直角に内方へ立ち上がる第１後板部４６Ｂと、第１上板部４６Ｕにおける左側縁から内方へ立ち上がる第１左板部４６Ｌと、第１上板部４６Ｕの右側縁から斜め右後方へ延出する第１半筒部４６Ｃと、第１半筒部４６Ｃの前側であって第１上板部４６Ｕにおける右側縁から内方へ立ち上がる第１右板部４６Ｒとからなるものである。
【００４３】
一方、上下一対の半割体４６，４７のうち下側のものである第２半割体４７（図５の下側に描かれた半割体）は、ハウジング１０の幅方向に長い略平坦状をなす第２下板部４７Ｓと、第２下板部４７Ｓにおける後側縁（ハウジング１０の後面１０Ａに接触する側とは反対側の縁）から略直角に内方へ立ち上がる第２後板部４７Ｂと、第２下板部４７Ｓにおける左側縁から内方へ立ち上がる第２左板部４７Ｌと、第２下板部４７Ｓの右側縁から斜め右後方へ延出する第２半筒部４７Ｃと、第２半筒部４７Ｃの前側であって第２下板部４７Ｓにおける右側縁から内方へ立ち上がる第２右板部４７Ｒとからなるものである。
【００４４】
第１半割体４６と第２半割体４７とが組み付けられると、第１左板部４６Ｌ、第１後板部４６Ｂ、第１半筒部４６Ｃおよび第１右板部４６Ｒの下縁（第１当接縁４８Ｕと称する）と、第２左板部４７Ｌ、第２後板部４７Ｂ、第２半筒部４７Ｃおよび第２右板部４７Ｒの上縁（第２当接縁４８Ｓと称する）とが当接し合うようになっている。
【００４５】
なお、第１半割体４６と第２半割体４７とが組み付けられた状態では、第１上板部４６Ｕ、第１右板部４６Ｒおよび第１左板部４６Ｌの前縁が開口縁４２Ａの上側部分を構成し、第２下板部４７Ｓ、第２右板部４７Ｒおよび第２左板部４７Ｌの前縁が開口縁４２Ａの下側部分を構成する。また、第１半筒部４６Ｃが、チューブ保持部４５の上側部分を構成し、第２半筒部４７Ｃが、チューブ保持部４５の下側部分を構成するとともに、第１半筒部４６Ｃの右後端と第２半筒部４７Ｃの右後端とが電線導出口４１を構成する。
【００４６】
第２当接縁４８Ｓの外側には、第２当接縁４８Ｓに沿って上方へ張り出し、第１当接縁４８Ｕの外側に重ねられる被せ部４９が形成されている。
この被せ部４９には、係止片５１が形成されている。係止片５１は、第２後板部４７Ｂの左側寄り位置（傾斜部分）と、第２左板部４７Ｌと、第２半筒部４７Ｃの前後両側との計４箇所に設けられている（図７および図８参照）。各係止片５１には、後述する係止突部５２と係合可能な係止孔５１Ａが貫通形成されている。係止孔５１Ａは、第２左板部４７Ｌに設けられた係止片５１には１つ、それ以外の係止片５１には２つずつ形成されている。
【００４７】
第１半割体４６の第１当接縁４８Ｕに沿う縁部には、係止孔５１Ａと係合可能な係止突部５２が外側に突設されている（図９参照）。係止突部５２は、それぞれ係止孔５１Ａに対応する位置、詳しくは、第１後板部４６Ｂの左側寄り位置（傾斜部分）に２つ、第１左板部４６Ｌに１つ、第１半筒部４６Ｃの前後に一対ずつ形成されている。
【００４８】
また、第１当接縁４８Ｕに沿う縁部には、その外側に被せられる第２半割体４７の被せ部４９の端縁に沿うように補強リブ５３が立ち上げられている。補強リブ５３は、第１右板部４６Ｒおよび第１左板部４６Ｌにおいては、前縁（開口縁４２Ａの短縁）に沿って延設されている（図１０および図１１参照）。また、第２半割体４７の第２右板部４７Ｒおよび第２左板部４７Ｌの前縁（開口縁４２Ａの短縁）に沿って補強リブ５３が設けられている。この補強リブ５３によって、それぞれの縁部の補強がなされている。
【００４９】
第１半割体４６および第２半割体４７の内面には、図６および図７に示すように、前後方向へ延びる補強用の突条５４がそれぞれ形成されている。この突条５４は、第１上板部４６Ｕおよび第２下板部４７Ｓに形成され、左右方向（幅方向）にほぼ均等の間隔を空けて配されている。この突条５４によって、第１半割体４６および第２半割体４７は、それぞれ内外方向（上下方向）の曲げに対する剛性が高められている。
【００５０】
第１半割体４６と第２半割体４７における開口縁４２Ａを構成する端縁には、これらをハウジング１０に取り付ける際に、それぞれハウジング１０に対して位置決めするためのスリット５５Ｕ，５５Ｓが形成されている。スリット５５Ｕ，５５Ｓは、各半割体４６，４７に２箇所ずつ形成されている。第１半割体４６に形成された第１スリット５５Ｕは、第１左板部４６Ｌと第１上板部４６Ｕとの間の角部および第１右板部４６Ｒと第１上板部４６Ｕとの間の角部に設けられ、第２半割体４７に形成された第２スリット５５Ｓは、第２左板部４７Ｌと第２下板部４７Ｓとの間の角部および第２右板部４７Ｒと第２下板部４７Ｓとの間の角部に設けられている。各スリット５５Ｕ，５５Ｓは、開口縁４２Ａ（前縁）から後方へ向かって細長く切り欠かれた形状をなしている。
【００５１】
第１上板部４６Ｕおよび第２下板部４７Ｓの前端部には、それぞれ一対ずつ第１ロック壁５６Ｕおよび第２ロック壁５６Ｓが形成されている。両ロック壁５６Ｕ，５６Ｓは、第１半割体４６および第２半割体４７がハウジング１０に取り付けられたときに各突片２５Ｕ，２５Ｓと対応する部分に形成され、それぞれ幅方向に長い略長方形状をなして外側に膨出されている。そして、第１半割体４６と第２半割体４７とがそれぞれハウジング１０に組み付けられると、第１ロック壁５６Ｕは上側突片２５Ｕに上方から被さるようにして配され、第２ロック壁５６Ｓは下側突片２５Ｓに下方から被さるようにして配される。第１ロック壁５６Ｕおよび第２ロック壁５６Ｓの中央位置には、それぞれ対応する各突片２５Ｕ，２５Ｓのロック突部２６に係合可能なロック孔５７（本発明におけるロック部に該当する）が板面方向に貫通形成されている。各ロック孔５７は、幅方向に長い略長方形状をなしている。なお、第１ロック壁５６Ｕの幅方向内側縁には孔部５８が形成され、第２ロック壁５６Ｓに比べて内外方向（上下方向）に若干撓み変形しやすくなっている。
【００５２】
第１上板部４６Ｕと第２下板部４７Ｓとの前縁（開口縁４２Ａにおける一対の長縁）には、それぞれ第１遮蔽壁５９Ｕと第２遮蔽壁５９Ｓとが設けられている。第１遮蔽壁５９Ｕおよび第２遮蔽壁５９Ｓは、幅方向両端部に形成されたロック壁５６Ｕ，５６Ｓ間にわたって連続して設けられている（図１および図８参照）。第１遮蔽壁５９Ｕは第１上板部４６Ｕの前縁から上側へ立ち上げられた壁状をなし、一方第２遮蔽壁５９Ｓは第２下板部４７Ｓの前縁から下側へ垂下された壁状をなしている。言い換えると、両遮蔽壁５９Ｕ，５９Ｓは、開口縁４２Ａからカバー４０の外側へ屈曲された形状をなしている。
【００５３】
そして、両遮蔽壁５９Ｕ，５９Ｓは、それぞれ第１ロック壁５６Ｕおよび第２ロック壁５６Ｓの膨出寸法と等しい高さ寸法を備えている。両遮蔽壁５９Ｕ，５９Ｓの前面（ハウジング１０の後面１０Ａと対向する側の面）は、ハウジング１０に対する取り付け方向に対して略垂直をなす平坦な面とされ、カバー４０がハウジング１０に取り付けられると、両遮蔽壁５９Ｕ，５９Ｓの前面がハウジング１０の後面１０Ａに対して略平行をなして対向し、面当たり可能となっている。
【００５４】
第１遮蔽壁５９Ｕおよび第２遮蔽壁５９Ｓの後側には、それぞれ一対ずつ補強壁６１が設けられている。補強壁６１は、第１遮蔽壁５９Ｕおよび第２遮蔽壁５９Ｓにおける一対のロック壁５６Ｕ，５６Ｓ寄りの位置に一対ずつ設けられ、第１遮蔽壁５９Ｕおよび第２遮蔽壁５９Ｓの後面から第１ロック壁５６Ｕおよび第２ロック壁５６Ｓの後端位置まで延設されている。補強壁６１は、それぞれ第１遮蔽壁５９Ｕおよび第２遮蔽壁５９Ｓと同じ側へ立ち上げられ、その高さ寸法は、第１遮蔽壁５９Ｕおよび第２遮蔽壁５９Ｓの高さ寸法と等しい寸法とされている。
【００５５】
第１半割体４６の第１当接縁４８Ｕに沿う縁部には、図６および図９に示すように、電線収容片６２が張り出し形成されている。電線収容片６２は、第１後板部４６Ｂの屈曲部分（左側の傾斜部分から右側の水平部分にわたる部分）に設けられて下方へ張り出す薄板状をなしている。電線収容片６３は、幅方向（左右方向）に長い略長方形をなして第２後板部４７Ｂの内面に沿って第２半割体４７の内側に入り込み可能とされ、電線３２の屈曲部分を内側に押さえ込み可能となっている（図１８参照）。
【００５６】
電線収容片６２の外側の面には、その張出し端に向かって外側から内側へ向かう傾斜をなす傾斜面６２Ａが形成されている（図５参照）。傾斜面６２Ａは、電線収容片６２の左右方向の全幅にわたって設けられている。
【００５７】
第１半割体４６および第２半割体４７には、両半割体４６，４７が組み付けられると電線３２の束を囲い込み可能な形状をなす一対の電線保持部６３Ｕ，６３Ｓが設けられている（図１４参照）。一対の電線保持部６３Ｕ，６３Ｓは、図６および図７に示すように、それぞれ第１半筒部４６Ｃおよび第２半筒部４７Ｃの左端位置に形成されている。第１半筒部４６Ｃに形成された第１電線保持部６３Ｕ（本発明の一方の電線保持部に該当する）と、第２半筒部４７Ｃに形成された第２電線保持部６３Ｓとは、それぞれ第１半筒部４６Ｃおよび第２半筒部４７Ｃの内周面から内側に立ち上がって周方向に延びる壁状をなし、その立上り端縁（内縁）は、第１半筒部４６Ｃおよび第２半筒部４７Ｃの内周面と略平行をなす円弧形状をなしている。
【００５８】
第１電線保持部６３Ｕは、図１０〜図２０に示すように、その前後方向両端部が第１当接縁４８Ｕから下側（第２半割体４７との組み付け方向）へ突出する一対の突出部６４とされている。各突出部６４は、先端に向けて少しずつ細くなる形状をなし、詳しくは、対向する一対の突出部６４における互いに対向する側の縁同士は略平行をなし、対向側とは反対側の縁（外縁）は、第１半筒部４６Ｃの内周面に沿う円弧形状をなしている。これにより、各突出部６４の根元側は先端側に比べて強度が大きくされるとともに第２半筒部４７Ｃ側への差し込みがスムーズに行われやすくなっている。一方、第２半割体４７に形成された第２電線保持部６３Ｓは、第２半筒部４７Ｃの内周面のうち前後両縁部を残した略中央部分に形成されている（図１３参照）。
【００５９】
そして、第１半割体４６と第２半割体４７とが組み付けられた状態では、図１４に示すように、第１電線保持部６３Ｕの両突出部６４が第２電線保持部６３Ｓの両端部の前側と後側とにそれぞれ差し込まれた状態になる。このとき、両突出部６４の外縁は、第２半筒部４７Ｃの内周面に沿うとともに、第１電線保持部６３Ｕと第２電線保持部６３Ｓの内縁によって電線３２の束を囲い込み可能な略円形状が形成される。
【００６０】
第２電線保持部６３Ｓの両端部のうち後側（図４の上側）の端部は、先端が上側（同左側）に向かって尖った形状をなしている。一方、前側（同下側）の端部６５は、先端が前後方向に平らな形状をなし、後側の端部よりも下側（同右側）に引っ込んだ位置に形成されている。こうして、第２電線保持部６３Ｓの前側の端部６５は、第１半割体４６と第２半割体４７とを組み付ける際に、第１電線保持部６３Ｕの前側の突出部６４が進出する経路から逃げて凹んだ形状となっている。
【００６１】
さて、カバー４０の開口縁４２Ａには、ハウジング１０との取り付け方向前方へ突出する遮水片６６Ｕ，６６Ｓが設けられている。遮水片６６Ｕ，６６Ｓは、開口縁４２Ａを構成する４辺のうち一対の長縁、すなわち第１上板部４６Ｕおよび第２下板部４７Ｓの前縁に設けられ、第１上板部４６Ｕの前縁に設けられた第１遮水片６６Ｕおよび第２下板部４７Ｓの前縁に設けられた第２遮水片６６Ｓは、それぞれ第１上板部４６Ｕおよび第２下板部４７Ｓの幅方向ほぼ中央部分に形成されている（図８および図９参照）。
【００６２】
第１遮水片６６Ｕおよび第２遮水片６６Ｓは、それぞれ第１上板部４６Ｕおよび第２上板部の前縁に沿って幅方向に長い長方形の薄板状をなしている。第１遮水片６６Ｕおよび第２遮水片６６Ｓの幅方向寸法（長手方向の寸法）は、第１遮蔽壁５９Ｕおよび第２遮蔽壁５９Ｓの幅方向寸法よりも若干小さい寸法とされ、それぞれ小型キャビティ１５Ｂが並列されている範囲にわたって形成されている。
【００６３】
第１遮水片６６Ｕおよび第２遮水片６６Ｓには、ハウジング１０の肉抜き部２３Ｕ，２３Ｓの隔壁２４を差し込み可能な逃し部６７が設けられている。逃し部６７は、各隔壁２４の幅方向の厚さ寸法よりも若干大きい幅寸法を備えて両遮水片６６Ｕ，６６Ｓの前縁から開口縁４２Ａまで切り欠かれた形状をなしている。逃し部６７は、第１遮水片６６Ｕおよび第２遮水片６６Ｓのうち隔壁２４に対応する位置に４箇所ずつ設けられ、詳しくは、第１遮水片６６Ｕおよび第２遮水片６６Ｓの幅方向両端部と、その間をほぼ３等分する位置２箇所とに設けられている（図６および図７参照）。これにより、第１遮水片６６Ｕおよび第２遮水片６６Ｓは、上側肉抜き部２３Ｕおよび下側肉抜き部２３Ｓの各隔壁２４を各逃し部６７に差し込みつつ、上側肉抜き部２３Ｕおよび下側肉抜き部２３Ｓにそれぞれ差し込み可能となっている。
【００６４】
また、第１遮水片６６Ｕおよび第２遮水片６６Ｓの前端部における幅方向両端の角部と、逃し部６７を挟む角部とにはそれぞれ丸みが付されており、肉抜き部２３Ｕ，２３Ｓへの差し込みがスムーズに行われるようになっている。
【００６５】
そして、第１遮水片６６Ｕおよび第２遮水片６６Ｓには、第１半割体４６および第２半割体４７の内面に形成された突条５４が延設されている。各突条５４は、第１遮水片６６Ｕおよび第２遮水片６６Ｓの各逃し部６７間における幅方向ほぼ中央位置に延出している。これにより、両遮水片６６Ｕ，６６Ｓの内外方向（上下方向）の曲げに対する剛性が高められている。
【００６６】
第１遮水片６６Ｕおよび第２遮水片６６Ｓは、図１０に示すように、ともに前端（突出端）へ向かって上下方向（図１０の左右方向）の厚さ寸法が小さくなる形状をなしている。第１遮水片６６Ｕの上面には、前端に向かって上側から下側へ向かう傾斜をなす第１テーパ面６８Ｕが形成され、第２遮水片６６Ｓの下面には、前端に向かって下側から上側へ向かう傾斜をなす第２テーパ面６８Ｓが形成されている。
【００６７】
次に、上記のように構成された本実施形態の作用および効果について説明する。
カバー４０をハウジング１０に組み付ける際には、図１５に示すように、ハウジング１０の後面１０Ａを上側に向けて設置し、第１半割体４６と第２半割体４７とをそれぞれ上方からハウジング１０に接近させる。そして、図１６に示すように、第１半割体４６の第１スリット５５Ｕおよび第２半割体４７の第２スリット５５Ｓをそれぞれ上側突片２５Ｕおよび下側突片２５Ｓに差し込み可能な位置に合わせる。
【００６８】
次いで、第１半割体４６の第１スリット５５Ｕをハウジング１０の上側突片２５Ｕに差し込み、第１半割体４６をハウジング１０に対して位置決めする。すると、第１遮水片６６Ｕの突出端部が、上側肉抜き部２３Ｕに斜めに差し込まれた状態になる。このとき、第１遮水片６６Ｕの突出端部に形成された第１テーパ面６８Ｕにより、第１遮水片６６Ｕの突出端部は上側肉抜き部２３Ｕの上縁に引っ掛かることなく、スムーズに差し込まれるようになっている。
【００６９】
そして、第１スリット５５Ｕと上側突片２５Ｕとによって位置決めされた第１半割体４６を、さらに内面が上方に開くよう斜めに傾けて、電線３２の束に予め外嵌されたコルゲートチューブ４４の端末部を第１半筒部４６Ｃに嵌め込む。すると、電線３２の束のうちコルゲートチューブ４４からハウジング１０の後面１０Ａ側に露出した部分が、第１電線保持部６３Ｕの突出部６４間に押し付けられた状態となる。これにより、電線３２の束は、組み付けの際に第１半筒部４６Ｃの外側にはみ出してしまうことがないよう第１電線保持部６３Ｕ内に収められた状態になる。
【００７０】
次に、第２半割体４７を、その内面が若干上方に開く斜めの姿勢に傾けつつ、第２スリット５５Ｓを下側突片２５Ｓに嵌め込み、ハウジング１０に対して位置決めする。すると、第２遮水片６６Ｓの突出端部が下側肉抜き部２３Ｓに差し込まれた状態になる。このとき、第１遮水片６６Ｕと同様、第２遮水片６６Ｓの突出端部にも第２テーパ面６８Ｓが形成されているから、その差し込みがスムーズに行われる。
【００７１】
そして、第２半筒部４７Ｃをコルゲートチューブ４４の端末部に嵌合させつつ、第１当接縁４８Ｕと第２当接縁４８Ｓとが当接するよう両半割体４６，４７を接近させていく。このとき、第１半割体４６側に押し付けられた電線３２の束が外側にはらみ出そうとしても電線収容片６２によってそれを阻まれるようになっている。このように、電線３２の束は、第１電線保持部６３Ｕの突出部６４のみならず電線収容片６２によっても第１半割体４６の外側へはみ出してしまうことを規制されて第１半割体４６側に収容されているから、第１半割体４６から外側にはみ出して第１当接縁４８Ｕと第２当接縁４８Ｓとの間に噛み込まれてしまうことが防止される。
【００７２】
また、第１当接縁４８Ｕと第２当接縁４８Ｓとが閉じるように第１半割体４６と第２半割体４７とを接近させると、両半割体４６，４７はそれぞれ第１スリット５５Ｕおよび第２スリット５５Ｓの位置を略支点として回動する。このとき、第１電線保持部６３Ｕの前側（組み付け作業時には下側）の突出部６４と、第２電線保持部６３Ｓの前側（同下側）の端部６５とは、ともに上方から下方へ移動する経路を描く。ここで、第２電線保持部６３Ｓの前側の端部６５は、図１３に示すように、組み付け時に第１電線保持部６３Ｕの前側の突出部６４と上下方向に重なり合う位置まで突出しておらず、第１電線保持部６３Ｕの前側の突出部６４と接触しない位置に引っ込んだ形状とされているから、第１電線保持部６３Ｕと第２電線保持部６３Ｓとが組み付け時に接触してしまうことはない。
【００７３】
また、第１半割体４６と第２半割体４７とを接近させると、第２半割体４７の被せ部４９が第１半割体４６の縁部に被さっていき、係止片５１の先端が係止突部５２に乗り上げるのに伴って係止片５１が外側へ弾性撓みし、係止片５１の先端が係止突部５２を乗り越えると同時に係止片５１が弾性復帰して係止孔５１Ａが係止突部５２に嵌まった状態となる（図１４参照）。こうして、第１半割体４６と第２半割体４７とは、複数箇所において互いに係止した状態となる。
【００７４】
同時に、各突片２５Ｕ，２５Ｓの板面に対して斜め外側に傾いていた各ロック壁５６Ｕ，５６Ｓが各突片２５Ｕ，２５Ｓの板面に対してほぼ平行な姿勢となり、ロック壁５６Ｕ，５６Ｓのロック孔５７がハウジング１０のロック突部２６に嵌合する（図１８参照）。これにより、カバー４０がハウジング１０に対して正規の取り付け状態にロックされる。このように、第１半割体４６および第２半割体４７を組み付けたときには、第１上板部４６Ｕと第２下板部４７Ｓとが、ハウジング１０の後面１０Ａに対して略垂直方向をなす姿勢（言い換えると第１上板部４６Ｕと第２下板部４７Ｓとがそれぞれ上側突片２５Ｕおよび下側突片２５Ｓの板面に沿う姿勢）になり、それに伴ってカバー４０とハウジング１０とがロックされた状態になるから、別途ロック作業を行う必要はなく、またロック作業終了までの一連の作業の流れが良い。
【００７５】
カバー４０を組み付けた後には、水抜き穴６９を見ることにより、コルゲートチューブ４４がチューブ保持部４５に正しく嵌合しているか否かを確認することができる。そして、万が一コルゲートチューブ４４が正しく嵌合されていない場合には、カバー４０を組み付け直すことができ、コルゲートチューブ４４が正しく嵌合されないで保持力が不足したまま留め置かれることが回避される。
【００７６】
なお、カバー４０がハウジング１０に取り付けられた状態では、各ロック壁５６Ｕ，５６Ｓの側方にハウジング１０の盛上部２１が配された状態となる。この盛上部２１により、各ロック壁５６Ｕ，５６Ｓの側縁に異物が接触することが防がれ、もってロックが不用意に解除されてしまうことが防止される。
【００７７】
そして、カバー４０の正規の取り付け状態においては、第１当接縁４８Ｕと第２当接縁４８Ｓとが互いに突き当たるとともに、カバー４０の開口縁４２Ａがハウジング１０の後面１０Ａに接触した状態となっている。また、第１遮水片６６Ｕおよび第２遮水片６６Ｓは、それぞれ上側肉抜き部２３Ｕおよび下側肉抜き部２３Ｓに完全に差し込まれ、カバー４０の開口縁４２Ａとハウジング１０の後面１０Ａとの間の隙間を塞いだ状態となっている。
【００７８】
なお、カバー４０をハウジング１０に取り付ける際には、両半割体４６，４７に比較的大きな力が作用するけれども、両半割体４６，４７は、それぞれ突条５４、補強リブ５３、遮蔽壁５９Ｕ，５９Ｓおよび補強壁６１によって補強されており、そのような力に対して十分な耐久性を備えたものとなっている。
【００７９】
また、本実施形態においては、第１スリット５５Ｕおよび第２スリット５５Ｓは、各半割体４６，４７の幅方向にそれぞれ一対ずつ設けられるとともに、ハウジング１０における第１スリット５５Ｕおよび第２スリット５５Ｓに対応する位置すべてに突片２５Ｕ，２５Ｓが設けられているから、電線３２を上記の説明とは反対方向に導出させるべくカバー４０の向きを反対にして組み付けることができる。そして、どちらの方向に電線３２を導出させても、電線導出口４１が配されている側（電線３２を押えるために大きな力を要する側）において両半割体４６，４７の位置決めをそれぞれ行うことができるから、組み付け作業を容易に行うことができる。
【００８０】
さて、上記のコネクタを自動車のエンジンルーム内の配線に用いた場合には、洗車に伴って高圧洗浄水が勢いよくコネクタに衝突することがある。このとき、コネクタに向かって飛び散り、ハウジング１０の後面１０Ａとカバー４０の開口縁４２Ａとの間に勢いよく飛び込んだ洗浄水は、遮水片６６Ｕ，６６Ｓに突き当たる。これにより、ハウジング１０の後面１０Ａとカバー４０の開口縁４２Ａとの間の隙間に飛び込んだ洗浄水が、カバー４０の内側に飛び散ってしまうことが防止される。
【００８１】
そして万が一、洗浄水がカバー４０の内部に入ったとしても、その洗浄水は遮水片６６Ｕまたは６６Ｓにぶつかって勢いが殺されているから、ゴム栓３３を損傷させてしまうほどの被害を生じさせることはない。
【００８２】
また、洗浄水に多少の勢いが残っていたとしても、各ゴム栓３３は各保護壁１９Ａ，１９Ｂによって保護されているから、直に洗浄水の衝突を受けることがなく、ゴム栓３３の損傷は確実に防止される。なお、この保護壁１９Ａ，１９Ｂの高さ寸法（ゴム栓３３のうち保護される部分の高さ寸法）は、ハウジング１０の後面１０Ａとカバー４０の開口縁４２Ａとの間の隙間寸法よりも大きくされているから、隙間から斜め方向に水が飛んできてもゴム栓３３に直接当たり難い。
【００８３】
さらに、カバー４０の開口縁４２Ａには遮蔽壁５９Ｕ，５９Ｓが設けられているから、洗浄水の大半はまずこの遮蔽壁５９Ｕ，５９Ｓに衝突することになる。これにより、カバー４０の開口縁４２Ａとハウジング１０の後面１０Ａとの間の隙間に洗浄水が勢いよく飛び込んでしまうことがより確実に回避される。そして、遮蔽壁５９Ｕ，５９Ｓは、遮水片６６Ｕ，６６Ｓの幅方向にわたって連続した壁状をなしており、遮水片６６Ｕ，６６Ｓに形成された逃し部６７もこの遮蔽壁５９Ｕ，５９Ｓによってカバー４０されているので、遮水性はより高められている。
【００８４】
また、カバー４０内に浸入した水滴は、チューブ保持部４５の凹部に形成された水抜き穴６９を通って外側へ排出されるから、カバー４０内に溜まりにくい。
【００８５】
なお、ハウジング１０の側面に向かって飛び散る洗浄水は、ハウジング１０の盛上部２１に衝突してカバー４０内へ飛び散ることが防がれる。万が一ハウジング１０の側方からカバー４０内に水が飛び散ったとしても、その内側に配された大型保護壁１９Ａの周面に衝突するので、勢いを保ったまま内部に飛び込んでしまうことはない。
【００８６】
以上説明したように本実施形態によれば、カバー４０をハウジング１０に取り付けると、ハウジング１０の後面１０Ａに接触する開口縁４２Ａに沿って設けられた遮水片６６Ｕ，６６Ｓが、後面１０Ａに形成された肉抜き部２３Ｕ，２３Ｓに差し込まれる。この遮水片６６Ｕ，６６Ｓによって、カバー４０の開口縁４２Ａとハウジング１０の後面１０Ａとの間の隙間が塞がれるから、カバー４０の内側に勢いよく水が突入してしまうことを防止することができる。
【００８７】
また、遮水片６６Ｕ，６６Ｓはカバー４０側に設けられている。ここで、例えば、遮水片をハウジング側に設けた場合には、端子金具３０Ａ，３０Ｂ（電線３２の端末部）を各キャビティ１５Ａ，１５Ｂに収容する際、遮水片によって視界が遮られて作業が困難になるおそれがある。しかしながら、本実施形態のように、遮水片６６Ｕ，６６Ｓをカバー４０側に設ければそのような事態を回避でき、端子金具３０Ａ，３０Ｂをキャビティ１５Ａ，１５Ｂ内に収容する作業を容易に行うことができる。
【００８８】
そして、ひけ防止のために形成された肉抜き部２３Ｕ，２３Ｓに遮水片６６Ｕ，６６Ｓを差し込むようにしているから、肉抜き部２３Ｕ，２３Ｓとは別に遮水片６６Ｕ，６６Ｓを差し込みための差込凹部をハウジング１０の後面１０Ａに設ける場合に比べて、ハウジング１０を大型化させなくて済む。
【００８９】
また、カバー４０には、開口縁４２Ａからカバー４０の外側へ屈曲された遮蔽壁５９Ｕ，５９Ｓが、開口縁４２Ａに沿って設けられている。これにより、遮水片６６Ｕ，６６Ｓに加えて、遮蔽壁５９Ｕ，５９Ｓによっても水の突入が遮られるから、カバー４０の内側に勢いよく水が突入してしまうことをより確実に防止することができる。また、この遮蔽壁５９Ｕ，５９Ｓによって、ハウジング１０の後面１０Ａに接触するカバー４０の開口縁４２Ａの補強がなされる。
【００９０】
また、ゴム栓３３における引出し口１６から突出した部分は、ハウジング１０の後面１０Ａから突出して設けられた保護壁１９Ａ，１９Ｂに囲まれて保護されるから、万が一カバー４０内に水が突入したとしても直接ゴム栓３３に当たりにくくなり、もって水がゴム栓３３に勢いよく当たって損傷してしまうことが防止される。
【００９１】
また、カバー４０をハウジング１０に取り付ける際には、一対の半割体４６，４７の開口縁４２Ａに形成されたスリット５５Ｕ，５５Ｓをそれぞれハウジング１０の後面１０Ａに形成された突片２５Ｕ，２５Ｓに嵌合させて位置決めすることができる。これにより、遮水片６６Ｕ，６６Ｓをハウジング１０の肉抜き部２３Ｕ，２３Ｓに差し込みつつ両半割体４６，４７の内側にコルゲートチューブ４４を挟み込んで組み付ける作業を行いやすい。
【００９２】
また、遮水片６６Ｕ，６６Ｓの外側の面には、その突出端に向かって外側から内側へ向かう傾斜をなすテーパ面６８Ｕ，６８Ｓが形成されている。これにより、カバー４０の取り付けの際に、内側にコルゲートチューブ４４を挟み込むために一対の半割体４６，４７を斜めに傾けたときに、遮水片６６Ｕ，６６Ｓが斜め外側から肉抜き部２３Ｕ，２３Ｓに差し込まれやすくなるので、カバー４０の取り付け作業がさらに容易となる。
【００９３】
また、カバー４０がハウジング１０に取り付けられて突片２５Ｕ，２５Ｓがカバー４０のロック壁５６Ｕ，５６Ｓに沿った状態になると、突片２５Ｕ，２５Ｓとカバー４０のロック壁５６Ｕ，５６Ｓとに設けられたロック突部２６とロック孔５７とが互いに係合する。したがって、ロック作業を別途行う必要がなく、カバー４０の取り付け作業が一層容易となる。
【００９４】
また、スリット５５Ｕ，５５Ｓは、カバー４０の開口縁４２Ａにおける電線導出口４１側に設けられている。ここで、カバー４０における電線導出口４１側というのは、屈曲した電線３２の復元力を大きく受ける側、すなわち、カバー４０をハウジング１０に取り付ける際に大きな力を要する側であり、このようなところで位置決めがなされるからカバー４０の取り付け作業がより行いやすくなる。
【００９５】
また、カバー４０をハウジング１０に取り付ける際には、第１電線保持部６３Ｕに備えられた一対の突出部６４の間に電線３２の束を押し込むことによって、その広がりを防止できるから、カバー４０の取り付け作業がより容易となる。このとき、コルゲートチューブ４４の端末部を第１半筒部４６Ｃ側に押えることによって、電線３２の束を第１電線保持部６３Ｕに押し込むことができるので、電線３２の束を指でまとめてはみ出しを規制しつつ作業をしなくてよいからより一層作業は容易である。
【００９６】
また、一対の半割体４６，４７を組み付ける際には、電線収容片６２によって電線３２の束の広がりが防止される。これにより、両半割体４６，４７の組み付けの際の電線３２の噛み込みを防止できるから、カバー４０の取り付け作業を容易に行うことができる。
【００９７】
また、電線収容片６２の外側の面には、その張出し端に向かって外側から内側へ向かう傾斜をなす傾斜面６２Ａが形成されているので、両半割体４６，４７の組み付け時に電線収容片６２が第２半割体４７の内側に入り込みやすく、カバー４０の取り付け作業をスムーズに行うことができる。
【００９８】
また、カバー４０をハウジング１０に取り付ける際には、第１電線保持部６３Ｕと電線収容片６２とがともに設けられた側の第１半割体４６に電線３２を押し付けることにより、電線３２の束の広がりを確実に防止できる。したがって、例えば電線収容片が第１半割体に、第１電線保持部が第２半割体に設けられている場合に比べてカバー４０の取り付け作業を行いやすい。
【００９９】
＜他の実施形態＞
本発明は上記記述及び図面によって説明した実施形態に限定されるものではなく、例えば次のような実施形態も本発明の技術的範囲に含まれる。
【０１００】
（１）上記実施形態では、一対の半割体４６，４７は別体とされているが、これに限らず、例えば半割体同士をヒンジを介して連結し、単一部品として金型成型したものであってもよい。
（２）上記実施形態では、第１遮水片６６Ｕおよび第２遮水片６６Ｓは、それぞれハウジング１０の後面１０Ａに形成された肉抜き部２３Ｕ，２３Ｓに差し込まれるようになっているが、これに限らず、多少ハウジングは大型化するかもしれないが、遮水片を差し込むための差込凹部を肉抜き部とは別に形成してもよい。
【０１０１】
（３）上記実施形態では、開口縁４２Ａには、それぞれ第１遮蔽壁５９Ｕと第２遮蔽壁５９Ｓとが設けられているが、必ずしも遮蔽壁は設けられていなくてもよい。また、第１遮蔽壁５９Ｕと第２遮蔽壁５９Ｓとは、それぞれ幅方向両端部に形成された両ロック壁間にわたって連続して設けられているが、これに限らず、例えば、遮水片の逃し部の位置を避けた位置において切り離された複数の壁からなるものであってもよい。
【０１０２】
（４）上記実施形態では、ハウジング１０の後面１０Ａには、ゴム栓３３を保護する保護壁１９Ａ，１９Ｂが設けられており、ゴム栓３３の損傷が確実に防止されているが、必ずしも保護壁は設けられていなくてもよい。
【０１０３】
（５）上記実施形態では、一対の半割体４６，４７の間にコルゲートチューブ４４が挟まれて保持されるようになっているが、カバーはコルゲートチューブを保持しないものであってもよい。また、その場合には、カバーは半割体からなるものではなく、一体のものであってもよい。
【０１０４】
（６）上記実施形態では、開口縁４２Ａには、位置決めするためのスリット５５Ｕ，５５Ｓが形成されているが、例えば、他に位置決め手段を設ける等すれば、このようなスリットを設けなくてもよい。
【０１０５】
（７）上記実施形態では、第１遮水片６６Ｕおよび第２遮水片６６Ｓの突出端部の外面にテーパ面６８Ｕ，６８Ｓが形成され、肉抜き部２３Ｕ，２３Ｓにスムーズに差し込まれるようになっているが、必ずしもテーパ面は形成されていなくてもよい。
【０１０６】
（８）上記実施形態では、スリット５５Ｕ，５５Ｓは第１半割体４６と第２半割体４７とにそれぞれ２箇所ずつ、計４箇所に形成されているが、これに限らず、例えば、スリットは第１半割体と第２半割体における電線導出口側に１箇所ずつ、計２箇所のみに形成されていてもよい。
【０１０７】
（９）上記実施形態では、電線保持部６３Ｕ，６３Ｓが設けられ、第１半割体４６と第２半割体４７とを組み付ける際に、電線３２の束が広がってしまうことが防がれているが、これに限らず、電線保持部は設けられなくてもよい。また、第１電線保持部６３Ｕは、その前後両端部のうち前側の端部６５の先端が、後側の端部の先端の位置よりも引っ込んだ形状とされているが、これに限らず、組み付けの際に引っ掛かりを生じたとしても、例えば前側の端部の先端が後側の端部の先端の位置と等しい位置まで突出していてもよい。
【０１０８】
（１０）上記実施形態では、電線収容片６２が設けられて、第１半割体４６と第２半割体４７との組み付けの際の電線３２の噛み込みが防がれているが、これに限らず、電線収容片は設けられていなくてもよい。また、電線収容片６２は、第１電線保持部６３Ｕが設けられた第１半割体４６に設けられているが、これに限らず、第２半割体側に設けられていてもよい。
【０１０９】
（１１）上記実施形態では、電線収容片６２の外側の面に傾斜面６２Ａが形成され、両半割体４６，４７の組み付け時に電線収容片６２が第２半割体４７の内側に入り込みやすくされているが、必ずしも傾斜面は形成されていなくてもよい。
【図面の簡単な説明】
【０１１０】
【図１】本実施形態におけるコネクタの平面図
【図２】ハウジングの外観斜視図
【図３】ハウジングの背面図
【図４】ハウジングの側断面図
【図５】第１半割体および第２半割体の外観斜視図
【図６】第１半割体の外観斜視図
【図７】第２半割体の外観斜視図
【図８】第２半割体を下側から見た平面図
【図９】第１半割体を下側から見た平面図
【図１０】第１半割体および第２半割体を右側から見た側面図
【図１１】第１半割体および第２半割体を左側から見た側面図
【図１２】第１半割体および第２半割体を左側から見た一部切欠側面図
【図１３】第１半割体と第２半割体とが組み付けられる様子を表す一部切欠側面図
【図１４】第１半割体と第２半割体とが組み付けられた状態を表す一部切欠側面図
【図１５】第１半割体および第２半割体をハウジングに取り付ける前の状態を表す側断面図
【図１６】第１半割体および第２半割体をハウジングに対して位置決めする様子を表す側断面図
【図１７】第１半割体の遮水片がハウジングの肉抜き部に差し込まれた様子を表す側断面図
【図１８】カバーがハウジングに取り付けられた状態を表す側断面図
【符号の説明】
【０１１１】
１０…ハウジング
１０Ａ…後面（引出し面）
１６…引出し口
１９Ａ…大型保護壁（保護部）
１９Ｂ…小型保護壁（保護部）
２３Ｕ…上側肉抜き部（肉抜き部）
２３Ｓ…下側肉抜き部（肉抜き部）
２５Ｕ…上側突片（突片）
２５Ｓ…下側突片（突片）
２６…ロック突部（ロック部）
３２…電線
３３…ゴム栓（シール栓）
４０…カバー
４１…電線導出口
４２Ａ…開口縁
４４…コルゲートチューブ（保護部材）
４６…第１半割体（一方の半割部材）
４７…第２半割体（他方の半割部材）
５５Ｕ…第１スリット（スリット）
５５Ｓ…第２スリット（スリット）
５６Ｕ…第１ロック壁（カバーの壁面）
５６Ｓ…第２ロック壁（カバーの壁面）
５７…ロック孔（ロック部）
５９Ｕ…第１遮蔽壁（遮蔽壁）
５９Ｓ…第２遮蔽壁（遮蔽壁）
６２…電線収容片
６２Ａ…傾斜面
６３Ｕ…第１電線保持部（一方の電線保持部）
６３Ｓ…第２電線保持部（他方の電線保持部）
６４…突出部
６５…前側の端部
６６Ｕ…第１遮水片（遮水片）
６６Ｓ…第２遮水片（遮水片）
６８Ｕ…第１テーパ面（テーパ面）
６８Ｓ…第２テーパ面（テーパ面）
【図１】
2008159544.tif 000003
【図２】
2008159544.tif 000004
【図３】
2008159544.tif 000005
【図４】
2008159544.tif 000006
【図５】
2008159544.tif 000007
【図６】
2008159544.tif 000008
【図７】
2008159544.tif 000009
【図８】
2008159544.tif 000010
【図９】
2008159544.tif 000011
【図１０】
2008159544.tif 000012
【図１１】
2008159544.tif 000013
【図１２】
2008159544.tif 000014
【図１３】
2008159544.tif 000015
【図１４】
2008159544.tif 000016
【図１５】
2008159544.tif 000017
【図１６】
2008159544.tif 000018
【図１７】
2008159544.tif 000019
【図１８】
2008159544.tif 000020